(57)【要約】【課題】  特定形状のアンダーヘアーの出し部分のみを、熟練を要することなく、また細心の注意を払うことなく容易に剃り取り又は刈り取りできるアンダーヘアー形成用補助具の提供。【解決手段】  特定形状のアンダーヘアー型シート板の素材シートの裏面に粘着剤層が設けられてなるアンダーヘアー形成用補助具。  前記シート板に基準表示や取っ手としてのリボンが設けられてなることも好ましい。  素材シートは、透明又は半透明プラスチックス、布又は紙、あるいはアルミニウム、錫、銅等の金属であってもよい。【選択図】  図１
0003121500.tif 000002
【実用新案登録請求の範囲】
【請求項１】
特定形状のアンダーヘアー型シート板であって、素材シートの裏面に粘着剤層が設けられてなることを特徴とするアンダーヘアー形成用補助具。
【請求項２】
素材シートに基準表示が設けられてなることを特徴とする請求項１に記載のアンダーヘアー形成用補助具。
【請求項３】
素材シートが透明又は半透明プラスチックスであることを特徴とする請求項１又は２のいずれか１項に記載のアンダーヘアー形成用補助具。
【請求項４】
素材シートが布又は紙であることを特徴とする請求項１又は２のいずれか１項に記載のアンダーヘアー形成用補助具。
【請求項５】
素材シートがアルミニウム、錫、銅等の金属であることを特徴とする請求項１又は２のいずれか１項に記載のアンダーヘアー形成用補助具。
【請求項６】
基準表示が、間隔を置いて並設された縦方向の複数の線であることを特徴とする請求項２〜５のいずれか１項に記載のアンダーヘアー形成用補助具。
【請求項７】
基準表示が、間隔を置いて並設された横方向の複数の線であることを特徴とする請求項２〜６のいずれか１項に記載のアンダーヘアー形成用補助具。
【請求項８】
アンダーヘアー型シート板の特定形状が、ハート型、ティアードロップ型、トライアングル型あるいはスクエア型から選択されるいずれか１種であることを特徴とする請求項１〜７のいずれか１項に記載のアンダーヘアー形成用補助具。
【請求項９】
素材シートの裏面の粘着剤層の表面に剥離シートが積層されてなることを特徴とする請求項１〜８のいずれか１項に記載のアンダーヘアー形成用補助具。
【請求項１０】
アンダーヘアー型シート板の表面に取っ手部が設けられてなることを特徴とする請求項１〜９のいずれか１項に記載のアンダーヘアー形成用補助具。
【請求項１１】
取っ手部が装飾用のリボンであることを特徴とする請求項１０に記載のアンダーヘアー形成用補助具。
【考案の詳細な説明】
【技術分野】
【０００１】
本願考案は、アンダーヘアー形成用補助具に関するものであり、特に新体操、バレー、水泳等の競技において、アンダーヘアーの輪郭が下着の縁部から外部にはみ出さず、かつアンダーヘアーの形状を美麗に整形された状態にするため、剃刀、鋏、除毛剤等でアンダーヘアーのはみ出し部を剃り、切り取り又は除毛して整毛する際に使用するアンダーヘアー形成用補助具に関するものである。
【考案の開示】
【考案が解決しようとする課題】
【０００２】
従来、新体操、バレー等の競技において、アンダーヘアーの輪郭が下着の縁部から外部にはみ出さないようにすべく、剃刀・鋏等を用いて輪郭を整形していたが、非常に手間と注意力と熟練とを要していた。
【課題を解決するための手段】
【０００３】
本考案者は、上記従来技術の課題を解決するもので、下記構成のアンダーヘアー形成用補助具を提供するものである。
[１]  特定形状のアンダーヘアー型シート板であって、素材シートの裏面に粘着剤層が設けられてなることを特徴とするアンダーヘアー形成用補助具。
[２]  素材シートに基準表示が設けられてなることを特徴とする前項［１］に記載のアンダーヘアー形成用補助具。
[３]  素材シートが透明又は半透明プラスチックスであることを特徴とする前項［１］又は［２］のいずれか１項に記載のアンダーヘアー形成用補助具。
【０００４】
[４]  素材シートが布又は紙であることを特徴とする前項［１］又は［２］のいずれか１項に記載のアンダーヘアー形成用補助具。
[５]  素材シートがアルミニウム、錫、銅等の金属であることを特徴とする前項［１］又は［２］のいずれか１項に記載のアンダーヘアー形成用補助具。
【０００５】
[６]  基準表示が、間隔を置いて並設された縦方向の複数の線であることを特徴とする前項［２］〜［５］のいずれか１項に記載のアンダーヘアー形成用補助具。
[７]  基準表示が、間隔を置いて並設された横方向の複数の線であることを特徴とする前項［２］〜［６］のいずれか１項に記載のアンダーヘアー形成用補助具。
【０００６】
[８]  アンダーヘアー型シート板の特定形状が、ハート型、ティアードロップ型、トライアングル型あるいはスクエア型から選択されるいずれか１種であることを特徴とする前項［１］〜［７］のいずれか１項に記載のアンダーヘアー形成用補助具。
[９]  素材シートの裏面の粘着剤層の表面に剥離シートが積層されてなることを特徴とする前項［１］〜［８］のいずれか１項に記載のアンダーヘアー形成用補助具。
[１０]  アンダーヘアー型シート板の表面に取っ手部が設けられてなることを特徴とする前項［１］〜［９］のいずれか１項に記載のアンダーヘアー形成用補助具。
[１１]  取っ手部が装飾用のリボンであることを特徴とする前項［１０］に記載のアンダーヘアー形成用補助具。
【考案の効果】
【０００７】
本考案のアンダーヘアー形成用補助具を使用すれば、特定形状のアンダーヘアー型シート板の素材シートの裏面を、残存させるアンダーヘアー領域部に正確に押し当て定着するだけで、特定形状のアンダーヘアーの必要部分は保護されるため、それ以外のはみ出し部分のみが、熟練を要することなく、また細心の注意を払うことなく容易に剃り取り、刈り取り又は除毛できる。
【考案を実施するための最良の形態】
【０００８】
本考案の実施の形態を実施例の図によって説明する。
図１は本考案の第１実施例のアンダーヘアー形成用補助具の平面図（ａ）、及びその中央断面図（ｂ）である。
図において、１は特定形状（ハート型）のアンダーヘアー型シート板の素材シートであり、２はその裏面に貼着された粘着剤層２である。さらにその上面には剥離シート３が積層されている。  粘着剤層２は、素材シート１裏面の全面に設けても、一部、例えば周縁部のみに設けてもよい。
こうした構成のアンダーヘアー形成用補助具は、その使用に際して、まず剥離シート３を剥がして粘着剤層２を露出させてから、特定形状のアンダーヘアー型シート板の素材シート１の裏面を、残存させるべきアンダーヘアー領域部に正確に押し当て定着する。
次いで、アンダーヘアー形成用補助具からはみ出した部分のアンダーヘアーを、剃刀又はバリカンを当てて剃り取り又は刈り取る。あるいは除毛剤を塗布して、除毛する。この際、アンダーヘアー形成用補助具により、特定形状のアンダーヘアーの必要部分は保護されているため、それ以外のはみ出し部分のみが、熟練を要することなく、また細心の注意を払うことなく容易に剃り取り又は刈り取りあるいは除毛できる。
なお、本例ではアンダーヘアー型シート板の素材シート１の素材として、医療用粘着テープの一種である「マイクロポア  サージカルテープ１５３０」（商品名、スリーエムヘルスケア（株）発売の裏面にアクリル系粘着剤層を備えたレーヨン系不織布テープ）を用い、ハート型に型抜きして、本考案製品を製作した。
【０００９】
図２は本考案の第２実施例のアンダーヘアー形成用補助具の平面図（ａ）、及びその中央断面図（ｂ）である。
図において、１は特定形状（ハート型）のアンダーヘアー型シート板の素材シートであり、２は粘着剤層、３は剥離シートであるが、本例においては、更に基準表示４が設けられている。
基準表示は位置を決定するためのものであり、例えば個人毎の目標物、例えば臍に向けて標準を合わせる。また、図においては間隔を置いて並設された垂直方向の縦線４ａ（太線）、４ａ’（細線）と水平方向の横線４ｂ（太線）、４ｂ’（細線）を各複数本付してある。
こうした構成のアンダーヘアー形成用補助具は、その使用に際して、まず剥離シート３を剥がして粘着剤層２を露出させてから、個人毎の目標物に基準表示を向けて、特定形状のアンダーヘアー型プレート板の素材シート１の裏面を残置させるべきアンダーヘアー領域部に正確に押し当て、粘着剤層３を残置されるアンダーヘアーに定着する。
次いで、アンダーヘアー形成用補助具からはみ出した部分のアンダーヘアーを、剃刀又はバリカンを当てて剃り取り又は刈り取り、あるいは除毛剤を塗って除毛する。
この際、実施例１の場合と同様にアンダーヘアー形成用補助具により、特定形状のアンダーヘアーの必要部分は保護されているため、それ以外のはみ出し部分のみが、熟練を要することなく、また細心の注意を払うことなく容易に剃り取り又は刈り取りあるいは除毛できる。
本例は、基準表示があるため、位置合わせも容易に正確に設定できる。
【００１０】
上記において、アンダーヘアー形成用補助具の素材シートは、透明又は半透明プラスチックスであることもよい。この場合は、残置されるアンダーヘアー部分の実際の形状が外部から透視できるので、実形状を感得でき、残置希望の形状の選択上も好ましい。
そして素材シートは、塩化ビニル樹脂、ポリエチレン樹脂、アクリル樹脂、ナイロン樹脂等のプラスチックスは加工が容易で、薄く製作することもできる。着色も容易である。
また、素材シートは布、不織布又は紙であってもよい。紙としては、耐水性のもの、水溶性のもの等が挙げられ、使い捨てできる利点がある。
また、素材シートとしては、アルミニウム、錫、銅等の金属も好ましいものである。これらは、適宜角度の折り曲げ可能でかつその折り曲げ角度で形状保持でき、すなわちる自由に曲げることができ、かつその曲げられた形状を保持できるため、所要部に三次元的に正確に定着することができ、アンダーヘアーの整毛が正確かつ容易に実施できる。
【００１１】
アンダーヘアー型プレート板の表面には取っ手を設けて、作業性を良くすることも好ましい。図３に示すごとく、取っ手として装飾用のリボン５を接着して設けておくことにより、取っ手としての機能を持たせた綺麗な飾りとなすことも好ましい。
【００１２】
アンダーヘアー型プレート板の特定形状としては、図４に示すごとく、上記実施例のハート型（Ａ）のほか、ティアードロップ型（Ｂ）、トライアングル型（Ｃ）あるいはスクエア型（Ｄ）等が挙げられる。
【図面の簡単な説明】
【００１３】
【図１】本考案の第１実施例の平面図及び中央断面図
【図２】本考案の第２実施例の平面図及び中央断面図
【図３】本考案の他の実施例のアンダーヘアー型プレート板の平面図
【図４】本考案の他の実施例のアンダーヘアー型プレート板の平面図
【符号の説明】
【００１４】
１：アンダーヘアー型プレート板の素材シート
２：粘着剤層
３：剥離シート
４：基準表示
４ａ、４ａ’：垂直方向の縦線
４ｂ、４ｂ’：水平方向の横線
５：リボン
【図１】
0003121500.tif 000003
【図２】
0003121500.tif 000004
【図３】
0003121500.tif 000005
【図４】
0003121500.tif 000006